(57)【要約】【課題】  データ記憶部に保存されたオーディオデータあるいはビジュアルデータ等のメディアデータに対応するメディア情報データをデータ記憶部の近くにいなくても確認する。【解決手段】  メディア情報通知装置２は、オーディオデータあるいはビジュアルデータであるメディアデータおよびメディアデータの内容に対応するメディア情報データを記憶するデータ記憶部１３と、記憶した前記メディア情報データの少なくとも一部を予め設定された送信タイミングで所定の携帯通信端末に対し、無線通信ネットワークを介して配信する情報配信部１０とを備える。【選択図】      図１
2005149570.tif 000002
【特許請求の範囲】
【請求項１】
オーディオデータあるいはビジュアルデータであるメディアデータおよびメディアデータの内容に対応するメディア情報データを記憶するデータ記憶部と、
記憶した前記メディア情報データの少なくとも一部を予め設定された送信タイミングで所定の携帯通信端末に対し、無線通信ネットワークを介して配信する情報配信部と
を備えることを特徴とするメディア情報通知装置。
【請求項２】
請求項１記載のメディア情報通知装置において、
前記メディアデータはオーディオデータであり、
前記メディア情報データは、前記オーディオデータに対応するタイトル名、曲名、歌手名あるいは演奏者名の何れかを含むことを特徴とするメディア情報通知装置。
【請求項３】
請求項１または請求項２に記載のメディア情報通知装置において、
前記情報配信部は、通信ネットワークを介して前記携帯通信端末にプッシュ型配信を行うことを特徴とするメディア情報通知装置。
【請求項４】
請求項１ないし請求項３のいずれかに記載のメディア情報通知装置において、
前記情報配信部は、通信ネットワークを介して前記携帯通信端末にプル型配信を行うことを特徴とするメディア情報通知装置。
【請求項５】
請求項４記載のメディア情報通知装置において、
前記プル型配信として電子メールを用いることを特徴とするメディア情報通知装置。
【請求項６】
請求項１ないし請求項５のいずれかに記載のメディア情報通知装置において、
前記携帯通信端末は、携帯電話端末であることを特徴とするメディア情報通知装置。
【請求項７】
請求項１ないし請求項６のいずれかに記載のメディア情報通知装置において、
前記送信タイミングは、新たなメディアデータおよび当該メディアデータの内容に対応するメディア情報データが記憶されたタイミングであることを特徴とするメディア情報通知装置。
【請求項８】
請求項１ないし請求項７のいずれかに記載のメディア情報通知装置において、
前記送信タイミングは、新たなメディアデータおよび当該メディアデータの内容に対応するメディアデータを順次複数記憶する際に、前記複数組のメディアデータおよびメディアデータ情報データが記憶された後のタイミングであることを特徴とするメディア情報通知装置。
【請求項９】
請求項１ないし請求項８のいずれかに記載のメディア情報通知装置において、
通信ネットワーク上のメディア情報データ検索機能を有するウェブサイトから前記メディアデータに対応するメディア情報データを取得するメディア情報作成部を備えることを特徴とするメディア情報通知装置。
【請求項１０】
請求項１ないし請求項９のいずれかに記載のメディア情報通知装置において、
前記データ記憶部は、前記メディアデータを圧縮して記憶していることを特徴とするメディア情報通知装置。
【請求項１１】
請求項１ないし請求項１０のいずれかに記載のメディア情報通知装置と、
前記データ記憶部に記憶された前記メディアデータを再生し再生信号として外部のスピーカに出力するデータ再生部と、
を備えることを特徴とする音響装置。
【請求項１２】
請求項１１記載の音響装置は車両に搭載されるものであることを特徴とする音響装置。
【発明の詳細な説明】
【技術分野】
【０００１】
本発明は、メディア情報通知装置に係り、特にデータ記憶部が記憶しているメディア情報データを通信ネットワークを介して使用者に通知するメディア情報通知装置及び音響装置に関する。
【背景技術】
【０００２】
近年、カーオーディオ（音響装置）はハードディスク等のデータ記憶部を用いて、例えば音楽ＣＤ等に記録されているデジタルデータ（＝オーディオデータ）を圧縮し保存することで、音楽ＣＤをカーオーディオで実際に再生しなくても音楽を再生することが可能になっている。
【０００３】
このときデジタルデータであるオーディオデータ（音楽データ）は、ＭＰ３やＷＭＡ等の圧縮方式を用いて圧縮することで、オーディオデータとしての容量を音楽ＣＤに記録されているデジタルデータの１／１０以下にすることができる。これにより、現在のデータ記憶部の容量では５００曲以上の音楽データの保存が可能となる（特許文献１参照）。
【特許文献１】特開２０００−２８５６６０号
【発明の開示】
【発明が解決しようとする課題】
【０００４】
しかし、上述した機能を用いてデータ記憶部にデジタルデータであるオーディオデータを例えば５００曲程度分保存しているような場合、使用者は自分がどんな曲を保存したのかを忘れてしまう場合がある。この場合において、使用者がどんな曲をデータ記憶部に保存したのかを知るには、カーオーディオの電源を入れて確認することとなり、車が近くにない場合等には直ちに確認することはできず、レンタルＣＤショップでＣＤを借りる場合に、データ記憶部に保存されているＣＤと同じ物を誤って借りてしまうことも考えられる。
【０００５】
また、ＤＶＤ等のように、オーディオデータおよびビジュアルデータ（画像データ）が含まれているデジタルデータをデータ記憶部に記憶する場合においても、使用者は自分がどんなデジタルデータを保存したのかを忘れてしまう場合があり、オーディオデータを格納している音楽ＣＤの場合と同じ様な問題が考えられる。
【０００６】
そこで、本発明の目的は、使用者がハードディスクなどの記憶装置に記憶させて保存したオーディオデータあるいはビジュアルデータ等のメディアデータに関し、当該メディアデータの内容に対応するメディア情報データをメディア情報通知装置の近くにいなくても確認することのできるメディア情報通知装置及び音響装置を提供することにある。
【課題を解決するための手段】
【０００７】
上記目的を達成するため、メディア情報通知装置は、オーディオデータあるいはビジュアルデータであるメディアデータおよびメディアデータの内容に対応するメディア情報データを記憶するデータ記憶部と、記憶した前記メディア情報データの少なくとも一部を予め設定された送信タイミングで所定の携帯通信端末に対し、無線通信ネットワークを介して配信する情報配信部とを備えることを特徴とするものである。
【０００８】
この場合において、前記メディアデータはオーディオデータであり、前記メディア情報データは、前記オーディオデータに対応するタイトル名、曲名、歌手名あるいは演奏者名の何れかを含むようにしてもよい。
【０００９】
また、前記情報配信部は、通信ネットワークを介して前記携帯通信端末にプッシュ型配信を行うようにしてもよい。
【００１０】
さらに、前記情報配信部は、通信ネットワークを介して前記携帯通信端末にプル型配信を行うようにしてもよい。
【００１１】
この場合において、前記プル型配信として電子メールを用いるようにしてもよい。
【００１２】
また、前記携帯通信端末は、携帯電話端末でもよい。
【００１３】
さらに、前記送信タイミングは、新たなメディアデータおよび当該メディアデータの内容に対応するメディア情報データが記憶されたタイミングでもよい。
【００１４】
さらにまた、前記送信タイミングは、新たなメディアデータおよび当該メディアデータの内容に対応するメディアデータを順次複数記憶する際に、前記複数組のメディアデータおよびメディアデータ情報データが記憶された後のタイミングでもよい。
【００１５】
また、通信ネットワーク上のメディア情報データ検索機能を有するウェブサイトから前記メディアデータに対応するメディア情報データを取得するメディア情報作成部を備えるようにしてもよい。
【００１６】
さらに、前記データ記憶部は、前記メディアデータを圧縮して記憶しているようにしてもよい。
【００１７】
また、音響装置は、前記メディア情報通知装置と、前記データ記憶部に記憶された前記メディアデータを再生再生信号として外部のスピーカに出力する再生部と、を備えるようにしてもよい。
【００１８】
この場合において、音響装置は車両に搭載されるものでもよい。
【発明の効果】
【００１９】
本発明によれば、通信ネットワークを介してデータ記憶部に保存されたメディアデータの内容に対応する最新のメディア情報データをデータ記憶部から離れた場所からでも容易に確認することができる。
【発明を実施するための最良の形態】
【００２０】
以下、図面を参照して本発明の一実施の形態について説明する。
【００２１】
図１は本実施形態における音響装置１のブロック図である。図１に示すように、音響装置１は、メディア情報通知装置２と、ＣＤ等の記録媒体やデータ記憶部１３に記憶されているメディアデータを再生するデータ再生部６と、このデータ再生部６で再生された音を出力するスピーカ７と、使用者が音響装置１の操作を行う操作部３と、液晶等で表示を行う表示部５と、音響装置１の制御を行う制御部４とを備えている。
【００２２】
メディア情報通知装置２は、ＣＤやＭＤ等に記録されているメディアデータをＭＰ３やＷＭＡ等の圧縮方法で圧縮するデータ圧縮部１４と、このデータ圧縮部１４で圧縮されたメディアデータを記憶するデータ記憶部１３と、このデータ記憶部１３に記憶されているメディア情報データを解析するメディア情報解析部１２と、データ記憶部１３に記憶されているメディア情報データを電子メールで送信できるようにテキスト形式に加工するメール作成部１１と、この作成された電子メールを送信する情報配信部１０と、通信ネットワークに接続する情報受信部１５と、メディア情報データをメディアデータに対応させてデータ記憶部１３に記憶させるメディア情報作成部１６とを備えている。
【００２３】
メディアデータとは、オーディオデータであるＣＤやＭＤ等に記憶されている音楽データであるオーディオデータや、ＣＤ、ＤＶＤ等に記憶されている画像データであるビジュアルデータであり、このオーディオデータに対応する再生音はスピーカ７から出力され、ビジュアルデータに対応する画像は表示部５に表示されることとなる。また、メディア情報データとは、使用者がデータ記憶部１３に記憶されているメディアデータの内容を知るための情報であり、例えば、ビジュアルデータにおいては、その画像データに対応するタイトル等であり、オーディオデータにおいては、タイトル名、アルバム名、歌手名、曲名等である。
【００２４】
データ記憶部１３は、例えばハードディスク等のデジタルデータを（外部）記憶装置である。
【００２５】
情報配信部１０と情報受信部１５とはデータ通信部１７を構成し、通信ネットワークと接続されデータの送受信を行う。ここで、データ通信部１７は、メディア情報通知装置２の動作中には通信ネットワークと常時無線接続されているものとする。
【００２６】
通信ネットワークと無線接続されることで、この音響装置１は、例えば車等の移動体に取り付けられても通信ネットワークと接続することができる。
【００２７】
メディア情報作成部１６は、通信ネットワーク上のメディア情報検索機能を有するウェブサイト上のデータベース、例えば、ＣＤＤＢ（Compact Disc Data Base）というタイトル検索機能を有するウェブサイトのデータベースから情報受信部１５を介して自動的にメディアデータに対応するメディア情報データを取得することとなる。
【００２８】
制御部４は、データ再生部６でメディアデータを再生している場合には、そのメディアデータに対応するメディア情報データを表示部５に表示させる。
【００２９】
以上の構成において、メディア情報データを自動的に携帯通信端末において取得するためには、予め自動送信設定処理を行う必要がある。
【００３０】
図２は自動送信設定処理を示すフローチャートである。
【００３１】
自動送信設定処理とは、メディア情報通知装置２にメディア情報データを所望の携帯通信端末に対し、自動的に送信させるための設定を行うものである。以下にこの処理について説明する。
【００３２】
図２に示すように、使用者の操作による指示で、自動送信設定処理が開始されると、制御部４はメディアデータ保存終了時にメールを自動送信するか否かという指示を表示部５に表示させる。これにより、使用者は操作部３を操作することで、自動送信のＯＮ、ＯＦＦの設定を行う（ステップＳ１）。
【００３３】
ステップＳ２の処理において、自動送信設定がＯＮに設定されると（ステップＳ２；ＯＮ）次のステップに移行し、自動送信設定がＯＦＦに設定されると（ステップＳ２；ＯＦＦ）自動送信設定処理を終了する。ステップＳ３の処理においては、制御部４は、使用者が操作部３を操作することにより入力したメールアドレスを設定する（ステップＳ３）。このときの送信先のメールアドレスは複数個指定するように構成することも可能である。
【００３４】
次に制御部４は、ＣＤの音楽データの全曲をデータ記憶部１３に記憶させた後にメールを送るか、またはＣＤの音楽データの１曲をデータ記憶部１３に記憶させた後にメールを送るかを使用者に操作部３を介して選択させ、制御部４は、この選択された送信タイミングを記憶し、自動送信設定処理を終了する（ステップＳ４）。
【００３５】
以上の説明では、送信タイミングの選択肢として、ＣＤのオーディオデータが１曲あるいは全曲記憶させた後の何れかしかなかったが、例えば、ＣＤのオーディオデータが所望の曲数分、データ記憶部１３に記憶されたときに送信できるように選択肢を追加してもよい。
【００３６】
上述した自動送信設定処理において自動送信設定がＯＮに設定されている場合には、メディア情報通知装置２は、設定されたメールアドレスに、設定された送信タイミングでデータ記憶部１３に記憶されたメディア情報データを自動的に電子メールで送ることとなる。
【００３７】
本実施形態では、使用者はメディアデータであるＣＤのオーディオデータ（音楽データ）の全曲または１曲をデータ記憶部１３に記憶された時の２つの送信タイミングから選択することとなる。
【００３８】
図３はメディアデータ保存からメディア情報送信までの処理を示すフローチャートである。このメディアデータ保存からメディア情報送信までの処理は制御部４で制御されることとなる。
【００３９】
図３に示すように、メディア情報送信処理が開始されると、メディア情報作成部１６は情報受信部１５を介して通信ネットワーク上のデータベース、例えばＣＤＤＢ（Compact Disc Data Base）に接続して、音楽データに対応するメディア情報データを取得する（ステップＳ１１）。
【００４０】
次に、制御部４は、データ再生部６で再生された音楽データを、データ圧縮部１４で圧縮し、この圧縮された音楽データとメディア情報作成部１６が取得したメディア情報データとを対応させてデータ記憶部１３に記憶させる（ステップＳ１２）。
【００４１】
続いてメディア情報解析部１２はデータ記憶部１３に記憶されたメディア情報データを解析して、メディア情報データが変更されている場合には、この変更前後のメディア情報データを対応させて記憶する（ステップＳ１３）。
【００４２】
次に、制御部４は送信タイミングが１曲保存後に設定されているかを判別する（ステップＳ１４）。
【００４３】
ステップＳ１４の判別において、送信タイミングが１曲保存後に設定されていれば（ステップＳ１４；Ｙｅｓ）、メール作成部１１はデータ記憶部１３に記憶されているメディア情報データ、例えば、アルバム名や曲名等をテキスト形式に変換して、この変換したテキストデータを自動送信設定処理で設定されたメールアドレスに情報配信部１０を介して送信することとなる（ステップＳ１５）。
【００４４】
また、ステップＳ１４の判別において、送信タイミングが１曲保存後に設定されていなければ（ステップＳ１４；Ｎｏ）、制御部４は、曲の保存が全て終了したか否かを判別する（ステップＳ１６）。
【００４５】
ステップＳ１６の判別において、音楽データ保存が終了していない場合（ステップＳ１６；Ｎｏ）は、制御部４は処理を再びステップＳ１２に移行し、ステップＳ１２〜ステップＳ１５の処理を繰り返し行い、音楽データとメディア情報データとを対応させてデータ記憶部１３に順次記憶させることとなる。
【００４６】
ステップＳ１６の判別において、全ての音楽データの保存が終了した場合には（ステップＳ１６；Ｙｅｓ）、制御部４は、送信タイミングが全曲保存後に設定されているかを判別する（ステップＳ１７）。
【００４７】
ステップＳ１７の判別において、送信タイミングが全曲保存後に設定されていなければ（ステップＳ１７；Ｎｏ）メディア情報送信処理を終了する。
また、ステップＳ１７の判別において、送信タイミングが全曲保存後に設定されていれば（ステップＳ１７；Ｙｅｓ）、メール作成部１１はデータ記憶部１３が記憶しているメディア情報データ、例えば、アルバム名や曲名等をテキスト形式に変換して、この変換したテキストデータを自動送信設定処理で設定されたメールアドレスに情報配信部１０を介して送信し、メディア情報処理を終了する（ステップＳ１８）。
【００４８】
ここで、メディア情報データの送信処理について説明する。
【００４９】
本実施形態では、メール作成部１１は図４に示すようにデータ記憶部１３が記憶しているメディア情報データをテキスト形式に変換する。この図４において、ＡＡＡＡ、ＢＢＢＢおよびＣＣＣＣはアルバム名や演奏者名や歌手名となり、ａａａ〜ｕｕｕはトラック名や曲名となる。具体的には、アルバム名がＡＡＡＡであり、このアルバムには７曲の音楽データがあり、その曲名がａａａ、ｂｂｂ、…、ｇｇｇとなっている。
【００５０】
以上の説明は、メディアデータを新たに保存する場合の処理であったが、実際には、削除する場合もあるので、以下、削除時の処理について説明する。
【００５１】
図５は、メディアデータである音楽データ削除からメディア情報送信までの処理を示すフローチャートである。この音楽データ削除からメディア情報送信までの処理は制御部４で制御されることとなる。
【００５２】
図５に示すように、メディア情報送信処理が開始されると、制御部４はどの音楽データを削除するのか表示部５にメディア情報データの一覧を示す文字を表示し、使用者は操作部３を操作することで、削除したい音楽データに対応するメディア情報データを選択し、制御部４は、この選択されたメディア情報データとメディア情報データに対応する音楽データとをデータ記憶部１３から削除する（ステップＳ２１）。
【００５３】
より具体的には、使用者が、例えば、図４に示すアルバム名であるＡＡＡＡを選択すると、そのアルバムの７曲全てが削除され、曲名であるａａａを選択すると、ａａａの１曲が削除されることとなる。また、削除するメディア情報データは複数選択することも可能である。この場合、図４に示すアルバム名であるＡＡＡＡとＢＢＢＢを選択すると、ＡＡＡＡとＢＢＢＢのアルバムの１４曲全てが削除され、曲名であるａａａとｂｂｂを選択するとこの２曲が削除されることとなる。
【００５４】
次に、メディア情報解析部１２はデータ記憶部１３に記憶されたメディア情報データを解析して、削除されたメディア情報データを記憶する（ステップＳ２２）。
【００５５】
続いて、制御部４は自動送信設定がされているか判別する（ステップＳ２３）。
【００５６】
ステップＳ２３の判別において、自動送信設定がされていない場合（ステップＳ２３；Ｎｏ）は、メディア情報送信処理を終了する。
【００５７】
ステップＳ２３の判別において、自動送信設定がされている場合（ステップＳ２３；Ｙｅｓ）は、メール作成部１１はデータ記憶部１３が記憶しているメディア情報データ、例えば、アルバム名や曲名等を図４に示すようなテキスト形式に変換して、この変換したテキストデータを自動送信設定処理で設定されたメールアドレスに情報配信部１０を介して送信し（ステップＳ２４）、メディア情報送信処理を終了する。
【００５８】
本実施形態において、メディア情報通知装置２は、データ記憶部１３が記憶しているメディア情報データをテキスト形式に変換して電子メールを送信しているが、データ記憶部１３には音楽データを、例えば５００曲程度保存することができるため、多くの音楽データがデータ記憶部１３に記憶された場合には、図４に示したようなテキスト形式では電子メールのデータ量が大きくなってしまう。
【００５９】
そこで、メディア情報通知装置２は、例えば、データ記憶部１３が記憶しているメディア情報データのうち、アルバム名のみをテキスト形式に変換して電子メールで送信したり、メディア情報解析部１２が記憶している、変更前後または削除されたメディア情報データをテキスト形式に変換して電子メールで送信したりしてもよい。
【００６０】
このように、メディア情報通知装置２は、使用者が必要と思われるメディア情報データをテキスト形式に変換して電子メールを送信することで、データ記憶部１３に記憶されている音楽データ数が多くなっても、使用者は少ないメディア情報データから、データ記憶部１３に記憶されている音楽データを知ることができるため便利である。
【００６１】
本実施形態において、メディア情報通知装置２は、データ記憶部１３に記憶されている最新のメディア情報データをテキスト形式に変換して、プル型配信である電子メールを送ることで使用者にデータ記憶部１３に記憶されているメディア情報デーを通知しているが、電子メール以外にも、プッシュ型配信で使用者に通知してもよい。
【００６２】
このプッシュ型配信とは、メディア情報データをｈｔｍｌ形式などに予め変換して、通信ネットワーク上のサーバに格納しておき、当該サーバが自動的に携帯通信端末に対し、配信するような配信形式を用いるものである。この場合は、メディア情報データをアップロードしている通信ネットワークに通信端末を接続するだけで、最新のメディア情報データが自動的に配信されるので、常に最新のメディア情報データを知ることができる。
【００６３】
本実施形態において、音楽データに対応したメディア情報データは、通信ネットワーク上のウェブサイトに接続することで取得しているが、この方法に限らず、使用者が操作部３を操作することで音楽データに対応したメディア情報データをデータ記憶部１３に記憶させてもよい。この場合のメディア情報データは、アルバム名や演奏者名や歌手名および曲名以外でも、使用者がわかり易いタイトルを付けることができる。
【００６４】
また、以上の説明においては、主としてＣＤからメディアデータである音楽データをデータ記憶部１３に記憶している場合について説明したが、これに限らず、例えば通信ネットワーク上にあるメディアデータと、このメディアデータに対応したメディア情報データや、ＤＶＤ等の画像データと、この画像データに対応したメディア情報データをデータ記憶部１３に記憶してもよい。また、携帯電話端末を用いてメディア情報データを電子メールとして受信しているが、携帯電話端末以外にも、ＰＤＡやノートパソコン等の携帯通信端末を用いてもよい。
【図面の簡単な説明】
【００６５】
【図１】本発明における音響装置の一実施形態を示すブロック図である。
【図２】本発明における自動送信設定を示すフローチャートである。
【図３】本発明における音楽データ保存からメディア情報送信までの処理を示すフローチャートである。
【図４】本発明におけるテキスト形式に変換したメディア情報データのメディア情報の一例を示す図である。
【図５】本発明における音楽データ削除からメディア情報送信までの処理を示すフローチャートである。
【符号の説明】
【００６６】
１  音響装置
２  メディア情報通知装置
３  操作部
４  制御部
５  表示部
１０  情報配信部
１１  メール作成部
１２  メディア情報解析部
１３  データ記憶部
１４  データ圧縮部
１５  情報受信部
１６  メディア情報作成部
１７  データ通信部
【図１】
2005149570.tif 000003
【図２】
2005149570.tif 000004
【図３】
2005149570.tif 000005
【図４】
2005149570.tif 000006
【図５】
2005149570.tif 000007